(57)【特許請求の範囲】
【請求項１】
腹側部、背側部、及び該腹側部と該背側部との間に位置する股下部を有する本体における前記背側部の両側部に幅方向外方に延出する一対のファスニングテープを備え、前記腹側部に前記ファスニングテープと係合するターゲットシートを備える使い捨ておむつであって、
前記ターゲットシートは、縦方向中央部に前記ファスニングテープと係合する係合領域と、縦方向両端部それぞれに前記本体との固定領域と、該係合領域と各該固定領域との間におむつ装着者の動きに伴い変形する変形緩衝領域とを有し、
前記係合領域及び前記変形緩衝領域においては、前記ターゲットシートが前記本体に実質的に固定されておらず、前記固定領域においては、前記ターゲットシートが前記本体に固定されており、
前記変形緩衝領域は、前記係合領域より縦方向外方の前記ターゲットシートの部位を縦方向の外側から内方に折り畳んで形成されている使い捨ておむつ。
【請求項２】
折り返して形成された前記変形緩衝領域、又は折り畳んで形成された前記変形緩衝領域においては、前記ターゲットシートの対向面同士が弱い力で固定されている請求項１に記載の使い捨ておむつ。
【発明の詳細な説明】
【技術分野】
【０００１】
本発明は、使い捨ておむつに関する。
【背景技術】
【０００２】
従来、ファスニングテープと、ファスニングテープが係合するターゲットシートとを備えた使い捨ておむつにおいて、装着中に、ファスニングテープとターゲットシートとの係合が剥がれないように、係合力を向上させた使い捨ておむつが知られている。例えば、特許文献１には、固定部材（ファスニングテープ）とランディング部材（ターゲットシート）とを備え、ランディング部材（ターゲットシート）はその周縁が前胴部分のバックシートに固定されている使い捨ておむつが記載されている。また、特許文献２には、雄型テープファスナー（ファスニングテープ）と雌型ターゲットシートとを備え、雌型ターゲットシートが繊維集合物であり、繊維集合物を構成する繊維同士を固着した固着部を介して裏面シートに固着された使い捨ておむつが記載されている。
【０００３】
このような特許文献１，２に記載の使い捨ておむつは、係合力が向上している為、使い捨ておむつの装着時にズレが生じ難い。しかしながら、装着中に、排泄物の重みや、装着者の動きにより、ファスニングテープに縦方向に作用する力が生じると、やはりファスニングテープとターゲットシートとが剥がれてしまう場合がある。また、ファスニングテープとターゲットシートとが剥がれないように、ファスニングテープを硬く形成すると、肌の傷付き等による肌トラブルを生じる恐れがある。
【先行技術文献】
【特許文献】
【０００４】
【特許文献１】特表平９−５１０６３５号公報
【特許文献２】特開２００２−２６３１３３号公報
【発明の概要】
【発明が解決しようとする課題】
【０００５】
したがって、本発明の課題は、ファスニングテープとターゲットシートとの係合力を向上させると共に、肌の傷付き等による肌トラブルを生じ難い使い捨ておむつを提供することにある。
【課題を解決するための手段】
【０００６】
本発明は、腹側部、背側部、及び該腹側部と該背側部との間に位置する股下部を有する本体における前記背側部の両側部に幅方向外方に延出する一対のファスニングテープを備え、前記腹側部に前記ファスニングテープと係合するターゲットシートを備える使い捨ておむつであって、前記ターゲットシートは、縦方向中央部に前記ファスニングテープと係合する係合領域と、縦方向両端部それぞれに前記本体との固定領域と、該係合領域と各該固定領域との間におむつ装着者の動きに伴い変形する変形緩衝領域とを有し、前記係合領域及び前記変形緩衝領域においては、前記ターゲットシートが前記本体に実質的に固定されておらず、前記固定領域においては、前記ターゲットシートが前記本体に固定されている使い捨ておむつを提供するものである。
【発明の効果】
【０００７】
本発明の使い捨ておむつによれば、ファスニングテープとターゲットシートとの係合力が向上すると共に、肌の傷付き等による肌トラブルが生じ難い。
【図面の簡単な説明】
【０００８】
【図１】図１は、本発明の第１実施形態の使い捨ておむつを裏面シート側から見た平面図である。
【図２】図２は、図１のＹ１−Ｙ１線断面図である。
【図３】図３は、おむつに固定する前のターゲットシートの平面図である。
【図４】図４は、第１実施形態の使い捨ておむつの装着時における装着者の動きに伴い移動するターゲットシートを説明する断面図である。
【図５】図５は、本発明の第２実施形態の使い捨ておむつのＹ１−Ｙ１線断面図である。
【図６】図６は、第２実施形態の使い捨ておむつの装着時における装着者の動きに伴い移動するターゲットシートを説明する断面図である。
【図７】図７は、本発明の第３実施形態の使い捨ておむつのＹ１−Ｙ１線断面図である。
【図８】図８は、第３実施形態の使い捨ておむつの装着時における装着者の動きに伴い移動するターゲットシートを説明する断面図である。
【発明を実施するための形態】
【０００９】
以下、本発明の使い捨ておむつを、その好ましい第１実施形態に基づき、図１〜図３を参照しながら説明する。
【００１０】
第１実施形態の使い捨ておむつ１Ａ（以下、「おむつ１Ａ」ともいう。）は、図１に示すように、腹側部Ａ、背側部Ｂ、及び腹側部Ａと背側部Ｂとの間に位置する股下部Ｃを有する本体１０における背側部Ｂの両側部１０ｂ，１０ｂに幅方向外方に延出する一対のファスニングテープ６，６を備え、腹側部Ａにファスニングテープ６と係合するターゲットシート７を備える展開型の使い捨ておむつである。おむつ１Ａは、図１に示すように、中心線ＣＬに対して左右対称に形成されている。従って以下の説明では、左右対称な部分については、主に、右側について説明する。尚、図１に示す「Ｙ方向」は、中心線ＣＬに平行な方向であり、おむつの長手方向と同じ方向でもある。図１に示す「Ｘ方向」は、中心線ＣＬに直交する方向であり、おむつの幅方向と同じ方向でもある。
【００１１】
第１実施形態のおむつ１Ａについて、詳述すると、おむつ１Ａは、図１に示すように、装着時に装着者の腹側に位置する腹側部Ａ、背側に位置する背側部Ｂ、及び腹側部Ａと背側部Ｂとの間に配置される股下部Ｃを有する本体１０を備えている。おむつ１Ａの本体１０は、図１に示すように、Ｙ方向に長く、Ｙ方向の両側縁が、Ｙ方向の中央部において内方に括れた形状を有しており、Ｙ方向の両端部の幅が、Ｙ方向の中央部の幅よりも広くなっている。おむつ１Ａの本体１０は、図１に示すように、おむつ１Ａの内面をなす液透過性の表面シート２と、おむつ１Ａの外面をなす液難透過性の裏面シート３と、これらのシート２，３間に介在された液保持性の吸収体４とを有している。吸収体４は、図１に示すように、Ｙ方向に長い略砂時計形状である。表面シート２及び裏面シート３それぞれは、図１に示すように、吸収体４の肌当接面側の全面及び非肌当接面側の全面を覆っており、吸収体４の周縁から延出している。また、表面シート２は、図１に示すように、Ｘ方向の長さが裏面シート３のＸ方向の長さよりも短くなっている。
【００１２】
おむつ１Ａの本体１０には、図１に示すように、Ｙ方向の両側部それぞれに、表面シート２を介してサイドシート５が配されている。サイドシート５は、図１に示すように、表面シート２の肌当接面側であって、Ｙ方向の側部全域に亘って配設固定されている。各サイドシート５のＸ方向の内方の端部は、図１に示すように、自由端となっており、股下部Ｃにおける自由端近傍には立体ギャザー形成用の弾性部材（不図示）が長手方向（Ｙ方向）に伸長状態で配設固定されており、着用時には、その弾性部材の収縮力により、自由端から所定幅の部分が表面シート２から離間して立体ギャザーを形成する。
【００１３】
おむつ１Ａの本体１０の両側部１０ｂには、図１に示すように、腹側部Ａ及び背側部Ｂそれぞれにおいて、Ｘ方向の外方に延出したサイドシート５と裏面シート３とが接合され、サイドフラップ部８が形成されている。おむつ１Ａの本体１０には、図１に示すように、股下部Ｃにおいて、幅方向（Ｘ方向）外方に延出したサイドシート５と裏面シート３とが接合され、レッグフラップ部９が形成されている。レッグフラップ部９には、股下部Ｃにおいて、レッグギャザー形成用の弾性部材（不図示）が長手方向（Ｙ方向）に伸長状態で、長手方向（Ｙ方向）に配設固定されており、着用時には、その弾性部材の収縮力により、レッグギャザーが形成される。おむつ１Ａは、図１に示すように、本体１０における背側部Ｂの両側部１０ｂ，１０ｂ（各サイドフラップ部８）に、Ｘ方向外方に延出するファスニングテープ６を備え、腹側部Ａの裏面シート３の外面に、ファスニングテープ６を係合するターゲットシート７を備えている。
【００１４】
本発明の使い捨ておむつのターゲットシート７は、縦方向中央部にファスニングテープ６と係合する係合領域７ａと、縦方向両端部それぞれに本体１０との固定領域７ｃと、係合領域７ａと各該固定領域７ｃとの間におむつ装着者の動きに伴い変形する変形緩衝領域７ｂとを有している。本発明の使い捨ておむつは、係合領域７ａ及び変形緩衝領域７ｂにおいては、ターゲットシート７が本体１０に実質的に固定されておらず、固定領域７ｃにおいては、ターゲットシート７が本体１０に固定されている。ここで、「実質的に固定されていない」とは、容易に本体１０から剥がれる程度に、弱く本体１０に固定されている場合を含むことを意味する。尚、ターゲットシート７の縦方向とは、図１に示す「Ｙ方向」と同方向であり、おむつの長手方向と同じ方向でもある。ターゲットシート７の幅方向とは、図１に示す「Ｘ方向」と同じ方向であり、おむつの幅方向と同じ方向でもある。
【００１５】
第１実施形態のおむつ１Ａにおいては、図１，図２に示すように、ターゲットシート７は、Ｘ方向に長い長方形状の一枚のシートから形成されており、吸収体４のＸ方向の長さよりも長く、腹側部Ａの一対のサイドフラップ部８，８同士の間に亘って配されている。具体的には、ターゲットシート７のＹ方向の長さＬ２は、図２に示すように、おむつ本体１０のＹ方向の長さＬ１の５〜２５％であることが好ましく、８〜１５％であることがより好ましい。また、ターゲットシート７のＸ方向の長さＷ２は、図２に示すように、おむつ本体１０のＸ方向の長さＷ１の５０〜８０％であることが好ましく、６０〜７０％であることがより好ましい。第１実施形態のおむつ１Ａにおいては、図２に示すように、変形緩衝領域７ｂは、係合領域７ａよりＹ方向外方の位置でターゲットシート７を本体１０側に折り返して形成されている。以下、具体的に説明する。
【００１６】
第１実施形態のおむつ１Ａにおいては、ターゲットシート７は、腹側部Ａの裏面シート３の外面に固着する前においては、図３に示すように、Ｘ方向に長い長方形状の一枚のシートであり、Ｙ方向の中央部にＸ方向の両端７１，７１間に亘って係合領域７ａに対応する領域７ａ’を有し、Ｙ方向両端部７ｄ，７ｄそれぞれにＹ方向の両端７２に沿って固定領域７ｃに対応する領域７ｃ’を有し、係合領域７ａとなる領域７ａ’と各固定領域７ｃとなる領域７ｃ’の間に、Ｘ方向の両端７１，７１間に亘って変形緩衝領域７ｂに対応する領域７ｂ’を有している。第１実施形態のおむつ１Ａにおいては、図２，図３に示すように、固定前の長方形状のターゲットシート７を、係合領域７ａとなる領域７ａ’よりＹ方向外方の位置であって、且つ変形緩衝領域７ｂとなる領域７ｂ’をＹ方向に約半分の位置にある折り線に沿って本体１０側に折り返し、固定領域７ｃに対応する領域７ｃ’にて本体１０と固定することにより、ターゲットシート７の変形緩衝領域７ｂが形成されている。このように、変形緩衝領域７ｂにおいては、折り線に沿って折り返されたターゲットシート７の対向面７ｂ１が固定されていない。また、図２，図３に示すように、ターゲットシート７は、係合領域７ａとなる領域７ａ’と、変形緩衝領域７ｂとなる領域７ｂ’とにおいては、本体１０と固定されておらず、ターゲットシート７のＸ方向の両端７１においても本体１０と固定されいない。上述のように、ターゲットシート７の変形緩衝領域７ｂが形成されているので、ターゲットシート７の係合領域７ａは、図４に示すように、Ｙ方向に移動することが可能となっている。
【００１７】
係合領域７ａに対応する領域７ａ’のＹ方向の長さＬ３は、ファスニングテープ６が係合領域７ａの範囲内で留まるスペースがあればよい。例えば、ファスニングテープ６のＹ方向長さが３０ｍｍである場合には、長さＬ３は３０ｍｍ以上であればよく、３５ｍｍ以上であることがより好ましい。長さＬ３の上限は特に設けないが、使い捨ておむつ１Ａを装着者に当てたときに装着者の股関節部から臍の範囲内に結合領域７ａが収まるように、その長さＬ３が適宜設定される。
【００１８】
変形緩衝領域７ｂに対応する領域７ｂ’のＹ方向の長さＬ４は、装着者の動き等によりターゲットシート７がおむつ１Ａの上下方向（Ｙ方向）に有効に移動し（ターゲットシート７における係合領域７ａのＹ方向の有効な移動量は５〜２０ｍｍであることが好ましい）、肌の傷付き等による肌トラブルを発生し難い観点、及び変形緩衝領域７ｂとなる領域７ｂ’はＹ方向に約半分の位置で折り返されている観点から、長さＬ４は、１０〜４０ｍｍであることが好ましい。領域７ｂ’のＹ方向のＬ４の長さが１０ｍｍ以下（即ち、係合領域７ａの移動量が５ｍｍ以下）だと、ターゲットシート７が有効に移動できず、ファスニングテープ６が太腿に喰い込み、肌の傷付き等による肌トラブルが発生する場合があり、領域７ｂ’のＹ方向のＬ４の長さが４０ｍｍ以上（即ち、係合領域７ａの移動量が１０ｍｍ以上）だと、ターゲットシート７における係合領域７ａ及び変形緩衝領域７ｂが共に本体１０と固着されていないので、装着時においてターゲットシート７の係合領域７ａにファスニングテープ６を止着した場合に、その止着部が本体１０から浮くような不安定感を装着者が抱いてしまう場合があるからである。
【００１９】
固定領域７ｃに対応する領域７ｃ’のＹ方向の長さＬ５は、本体１０との固着が確実になされるだけの長さが確保されていれば良く、５ｍｍ以上あればよい。長さＬ５の上限は、長すぎると、Ｙ方向の両端に配される固定領域７ｃ同士が重なってしまい、本体１０との固着が妨げられてしまうので、固定領域７ｃ同士が重ならない長さであることが好ましい。
【００２０】
第１実施形態の使い捨ておむつ１Ａの形成材料について説明する。
ターゲットシート７としては、後述するファスニングテープ６のフック材の係合突起（不図示）に係合可能な表面構造を有するループ材を含む。このようなループ材としては、フック材を押しつけることにより、フック材を止着可能なものを特に制限なく用いることができ、スパンボンド、エアースルー、サーマルボンド、ケミカルボンド等の各製法により製造された不織布やトリコット編み等からなる織布を用いることがでる。ターゲットシート７としては、そのようなループ材を単一部材として用いても良いし、ループ材を基材となるシートに貼り合わせた複合部材であってもよい。ターゲットシート７としては、特に、低コストであり超音波エンボスや熱エンボスによるターゲットシート同士の接着やターゲットシートと本体との接着が容易であるため、ポリエチレンや、ポリプロピレン、ポリエチレンテレフタレート等などの合成樹脂からなるスパンボンド不織布やエアスルー不織布が好ましく用いられる。また、例えば後述する各種公知の機械的面ファスナーにおけるメス部材を用いることができる。
【００２１】
ファスニングテープ６を形成するフック材及びシート基材は、通常、使い捨ておむつ等の吸収性物品に用いられるものであれば、特に制限なく用いることができる。例えば、フック材としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。シート基材としては、ポリエチレンや、ポリプロピレン、ポリエチレンテレフタレート等などの合成樹脂、及びこれら合成樹脂２種以上の複合材料からなるシートや不織布等を用いることができ、特にポリプロピレンからなるシートや不織布、またはポリプロピレンとポリエチレンテレフタレートの複合材料からなるシートや不織布を用いることが、超音波エンボスや熱エンボスによりフック材と容易に接合できる観点から好ましい。フック材の係合突起（不図示）は、錨形や鉤形等に形成されたものを用いることができる。
【００２２】
表面シート２、裏面シート３及びサイドシート５としては、それぞれ、通常、使い捨ておむつ等の吸収性物品に用いられるものであれば、特に制限なく用いることができる。例えば、表面シート２としては、親水性且つ液透過性の不織布等を用いることができ、裏面シート３としては、液難透過性又は撥水性の樹脂フィルムや樹脂フィルムと不織布の積層体等を用いることができ、サイドシート５としては、伸縮性のフィルム、不織布、織物またはそれらの積層シート等を用いることができる。また、吸収体４としては、通常、使い捨ておむつ等の吸収性物品に用いられるものであれば、特に制限なく用いることができ、吸収性ポリマーの粒子及び繊維材料から構成された吸収コアをティッシュペーパによって被覆されているものを用いることができる。
【００２３】
ターゲットシート７と裏面シート３との固定領域７ｃでの固定には、通常、使い捨ておむつ等の吸収性物品に用いられる接着剤や、ヒートエンボス、超音波エンボス、高周波エンボス等の融着手段が用いられる。表面シート２、裏面シート３、サイドシート５の固定にも、通常、使い捨ておむつ等の吸収性物品に用いられる接着剤や、ヒートエンボス、超音波エンボス、高周波エンボス等の融着手段が用いられる。
【００２４】
立体ギャザー形成用弾性部材（不図示）、レッグフラップ部９形成用弾性部材（不図示）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２５】
上述した本発明の第１施形態の使い捨ておむつ１Ａを使用した際の作用効果について説明する。
おむつ１Ａの装着中に、排泄物の重みや装着者の動きにより、おむつ１Ａの装着位置がズレ、このズレた状態で装着者が座ると、太腿によりファスニングテープ６を上方に押し上げる力が作用する。しかしながら、第１実施形態のおむつ１Ａは、図１〜図２に示すように、ターゲットシート７が装着者の動きに伴い変形する変形緩衝領域７ｂとを有しているので、ファスニングテープ６の下縁が太腿に食い込むことなく、ファスニングテープ６が折れ曲がることなく、図４に示すように、ターゲットシート７がおむつ１Ａの上方にスライドすることができる。従って、おむつ１Ａは、ファスニングテープ６を上方に押し上げるような力が作用したとしても、ファスニングテープ６とターゲットシート７とが剥がれ難く、ファスニングテープ６とターゲットシート７との係合力が向上する。また、おむつ１Ａは、ターゲットシート７がおむつ１Ａの上下方向（Ｙ方向）にスライドできるので、ファスニングテープ６の下縁が太腿に食い込み難く、肌の傷付き等による肌トラブルが生じ難い。
【００２６】
また、第１実施形態のおむつ１Ａにおいては、図２に示すように、変形緩衝領域７ｂが、係合領域７ａよりＹ方向外方の位置でターゲットシート７を本体１０側に折り返して形成されている。その為、ターゲットシート７と本体１０との間に、空間が形成されるており、ターゲットシート７がおむつ１Ａの上下方向（Ｙ方向）にスライドできるのみならず、Ｘ方向にも、厚み方向にも移動できるので、ファスニングテープ６とターゲットシート７との係合力が更に向上する。
【００２７】
次に、本発明の第２実施形態の使い捨ておむつについて、図５，図６に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００２８】
第２実施形態のおむつ１Ｂにおいては、図５に示すように、変形緩衝領域７ｂが、折り畳んで形成されており、また、折り畳んで形成された変形緩衝領域７ｂにおいてターゲットシート７同士が弱い力で固定されている点が、おむつ１Ａと主に異なっている。
【００２９】
第２実施形態のおむつ１Ｂにおいては、第１実施形態のおむつ１Ａと同様に、ターゲットシート７は、Ｘ方向に長い長方形状の一枚のシートから形成されている。第２実施形態のおむつ１Ｂにおいては、図５に示すように、変形緩衝領域７ｂは、係合領域７ａよりＹ方向外方のターゲットシート７の部位を縦方向の外側から内方に折り畳んで形成されている。以下、具体的に説明する。
【００３０】
第２実施形態のおむつ１Ｂにおいては、ターゲットシート７は、腹側部Ａの裏面シート３の外面に固着する前においては、第１実施形態のおむつ１Ａと同様（図３参照）に、Ｘ方向に長い長方形状の一枚のシートであり、Ｙ方向の中央部にＸ方向の両端７１，７１間に亘って係合領域７ａに対応する領域７ａ’を有し、Ｙ方向両端部７ｄ，７ｄそれぞれにＹ方向の両端７２に沿って固定領域７ｃに対応する領域７ｃ’を有し、係合領域７ａとなる領域７ａ’と各固定領域７ｃとなる領域７ｃ’の間に、Ｘ方向の両端７１，７１間に亘って変形緩衝領域７ｂに対応する領域７ｂ’を有している。第２実施形態のおむつ１Ｂにおいては、図５に示すように、固定前の長方形状のターゲットシート７を、係合領域７ａとなる領域７ａ’よりＹ方向外方の位置であって、且つ変形緩衝領域７ｂとなる領域７ｂ’のＹ方向に約半分の位置においてＹ方向の外側から内方に折り畳み、固定領域７ｃに対応する領域７ｃ’にて本体１０と固定することにより、ターゲットシート７の変形緩衝領域７ｂが形成されている。
【００３１】
また、第２実施形態のおむつ１Ｂにおいては、折り畳んで形成された変形緩衝領域７ｂにおいては、折り畳まれたターゲットシート７の対向面同士が弱い力で固定されている。尚、図５に示すように、ターゲットシート７は、係合領域７ａとなる領域７ａ’と、変形緩衝領域７ｂとなる領域７ｂ’とにおいては、本体１０と固定されておらず、ターゲットシート７のＸ方向の両端７１においても本体１０と固定されていない。上述のように、ターゲットシート７の変形緩衝領域７ｂが形成されているので、ターゲットシート７の係合領域７ａは、図６に示すように、Ｙ方向に移動することが可能となっている。
【００３２】
折り畳まれたターゲットシート７の対向面同士の弱い力での固定の手段としては、ターゲットシート７を折り畳む前の変形緩衝領域７ｂとなる領域７ｂ’に、通常、使い捨ておむつ等の吸収性物品に用いられるホットメルト接着剤を、予め、低目付で塗布することにより、又は、折り畳まれた後の変形緩衝領域７ｂに、熱をかけない押圧エンボスによって、厚み方向にドット状のエンボスを施すことにより弱い力で固定することができる。
【００３３】
第２実施形態の使い捨ておむつ１Ｂの形成材料について説明する。第２実施形態のおむつ１Ｂについては、第１実施形態の使い捨ておむつ１Ａの形成材料と同様であり、第１実施形態の使い捨ておむつ１Ａの説明が適宜適用される。
【００３４】
上述した本発明の第２実施形態の使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００３５】
第２実施形態のおむつ１Ｂは、図５に示すように、ターゲットシート７の変形緩衝領域７ｂが折り畳まれて形成されているので、ターゲットシート７の係合領域７ａは、図６に示すように、Ｙ方向に移動することが可能となっている。また、変形緩衝領域７ｂが図５のように折り畳まれて形成されていて外面に露出していないので、誤って変形緩衝領域７ｂにファスニングテープ６を止着してしまう恐れがなく、確実に係合領域７ａのＹ方向への移動が可能となる。折り畳んで形成された変形緩衝領域７ｂにおいては、折り畳まれたターゲットシート７の対向面７ｂ１同士が弱い力で固定されているので、装着者がターゲットシート７の係合領域７ａにファスニングテープ６を止着した時に、その止着部が本体１０から浮くような不安定感を引き起こし難い。
【００３６】
次に、本発明の第３実施形態の使い捨ておむつについて、図７，図８に基づいて説明する。
第３実施形態の使い捨ておむつ１Ｃ（以下、「おむつ１Ｃ」ともいう）については、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００３７】
第３実施形態のおむつ１Ｃにおいては、図７，図８に示すように、変形緩衝領域７ｂが、延伸加工又はスリット加工を施して形成されており、また、ターゲットシート７が、二枚のシートから形成されている点が、おむつ１Ａと主に異なっている。
【００３８】
第３実施形態のおむつ１Ｃにおいては、図７に示すように、ターゲットシート７は、Ｘ方向に長い長方形状の一枚のシート７３と、シート７３上に配設固定される係合領域７ａに対応するシート７４とを備えている。シート７３のＹ方向の長さは、ターゲットシート７のＹ方向の長さＬ２（図２参照）と同じであり、シート７３のＸ方向の長さは、ターゲットシート７のＸ方向の長さＷ２（図２参照）と同じである。また、シート７４のＹ方向の長さは、係合領域７ａに対応する領域７ａ’のＹ方向の長さＬ３（図３参照）と同じであり、シート７４のＸ方向の長さは、ターゲットシート７のＸ方向の長さＷ２（図２参照）と同じである。第３実施形態のおむつ１Ｃにおいては、図７に示すように、変形緩衝領域７ｂは、係合領域７ａよりＹ方向外方のターゲットシートの部位にスリット加工を施して形成されている。以下、具体的に説明する。
【００３９】
第３実施形態のおむつ１Ｃにおいては、ターゲットシート７は、腹側部Ａの裏面シート３の外面に固着する前においては、シート７３上の係合領域７ａに対応する位置にシート７４を配設固定した複合シートであり、Ｙ方向の中央部にシート７４からなる係合領域７ａに対応する領域７ａ’を有し、シート７３のＹ方向両端部７ｄ，７ｄそれぞれにＹ方向の両端７２に沿って固定領域７ｃに対応する領域７ｃ’を有し、係合領域７ａとなる領域７ａ’と各固定領域７ｃとなる領域７ｃ’の間のシート７３に、Ｘ方向の両端７１，７１間に亘って変形緩衝領域７ｂに対応する領域７ｂ’を有している。第３実施形態のおむつ１Ｃにおいては、図７に示すように、固定前の長方形状のターゲットシート７を、係合領域７ａとなる領域７ａ’よりＹ方向外方の位置であって、且つ変形緩衝領域７ｂとなる領域７ｂ’に、Ｘ方向に長いスリット７５を、スリット加工により複数個形成し、固定領域７ｃに対応する領域７ｃ’にて本体１０と固定することにより、ターゲットシート７の変形緩衝領域７ｂが形成されている。また、ターゲットシート７は、係合領域７ａとなる領域７ａ’と、変形緩衝領域７ｂとなる領域７ｂ’とにおいては、本体１０と固定されておらず、ターゲットシート７のＸ方向の両端７１においても本体１０と固定されていない。上述のように、ターゲットシート７の変形緩衝領域７ｂが形成されているので、ターゲットシート７の係合領域７ａは、図８に示すように、Ｙ方向に移動することが可能となっている。
【００４０】
スリット加工により変形緩衝領域７ｂに形成されたスリット７５は、Ｘ方向に長く、係合領域７ａのＹ方向への移動量を確保するために５ｍｍ以上であることが好ましく、係合領域７ａと固定領域７ｃの強度を確保するため２０ｍｍ以下であることが好ましい。また、各変形緩衝領域７ｂには、スリット７５が４０個〜８０個形成されていることが好ましく、各スリットが互いに重ならない様に配されている。
【００４１】
尚、第３実施形態のおむつ１Ｃにおいては、図７に示すように、変形緩衝領域７ｂは、スリット加工を施して形成されているが、延伸加工を施すことにより形成してもよい。ターゲットシート７の変形緩衝領域７ｂは、例えば、シート７４を、予め、多数の凹凸が形成されており且つ互いに噛み合い形状になっている金属製の一組のロール間に挿通させて延伸加工を施し、その後、係合領域７ａに対応する位置にシート７４を配設固定することにより形成することができる。また、ターゲットシート７の変形緩衝領域７ｂは、シート７３上の係合領域７ａに対応する位置にシート７４を配設固定した複合シートを、変形緩衝領域７ｂに対応する位置にのみ多数の凹凸が形成されており且つ互いに噛み合い形状になっている金属製の一組のロール間に挿通させて、変形緩衝領域７ｂに対応する位置にのみ延伸加工を施すことにより形成することができる。
【００４２】
第３実施形態の使い捨ておむつ１Ｃの形成材料について説明する。第３実施形態のおむつ１Ｃについては、第１実施形態の使い捨ておむつ１Ａの形成材料と異なる点について説明する。特に説明しない点は、第１実施形態のおむつ１Ａの形成材料と同様であり、第１実施形態の使い捨ておむつ１Ａの説明が適宜適用される。
【００４３】
使い捨ておむつ１Ｃのターゲットシート７を構成する係合領域７ａに対応する位置に配されるシート７４は、第１実施形態のおむつ１Ａのターゲットシート７の形成材料と同じであるが、使い捨ておむつ１Ｃのターゲットシート７を構成するシート７３は、シート７４の形成材料以外に、伸縮性の不織布を用いることもできる。シート７３に伸縮性の不織布を用い、シート７３上に係合領域７ａとなるシート７４を固定してターゲットシート７を形成すると、係合領域７ａにおいては非伸縮性の領域となり、変形緩衝領域７ｂにおいては伸縮性の領域となる。シート７３とシート７４との固定には、通常、使い捨ておむつ等の吸収性物品に用いられる接着剤や、ヒートエンボス、超音波エンボス、高周波エンボス等の融着手段が用いられる。
【００４４】
上述した本発明の第３実施形態の使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００４５】
第３実施形態のおむつ１Ｃにおいては、図７，図８に示すように、変形緩衝領域７ｂは、係合領域７ａよりＹ方向外方のターゲットシート７の部位にスリット加工を施して形成されているので、変形緩衝領域７ｂをターゲットシート７を折り畳んで形成する方法に比べて材料の使用量を節減することが出来る。
【００４６】
本発明の使い捨ておむつは、上述の第１，第２，第３実施形態の使い捨ておむつに何ら制限されるものではなく、適宜変更可能である。また、上述の第１，第２，第３の使い捨ておむつにおける各構成要件は、本発明の趣旨を損なわない範囲で、適宜組み合わせて実施できる。
【００４７】
例えば、上述の第１，第２，第３実施形態の使い捨ておむつ１Ａ，１Ｂ，１Ｃにおいては、図１に示すように、所謂、展開型の使い捨ておむつであるが、係合部材を用いるリファスニングタイプの使い捨ておむつであってもよい、
【００４８】
また、上述の第１，第２，第３実施形態の使い捨ておむつ１Ａ，１Ｂ，１Ｃにおいては、図１に示すように、ターゲットシート７は、吸収体４のＸ方向の長さよりも長く、腹側部Ａの一対のサイドフラップ部８，８同士の間に亘って連続して配されているが、Ｘ方向に断続的に複数個配されていてもよい。また、一対のサイドフラップ部８，８同士の間に亘って、係合領域７ａ及び変形緩衝領域７ｂにおいては、ターゲットシート７が本体１０に固定されていないが、吸収体４のＸ方向外方の部分において、ターゲットシート７の係合領域７ａ及び変形緩衝領域７ｂが本体１０に固定されていなければよく、吸収体４上においては、部分的に、ターゲットシート７の係合領域７ａ及び変形緩衝領域７ｂが本体１０に固定されていてもよい。
【００４９】
また、使い捨ておむつは、幼児又は成人用の使い捨ておむつ等であってもよい。
【符号の説明】
【００５０】
１Ａ，１Ｂ，１Ｃ  使い捨ておむつ
２  表面シート
３  裏面シート
４  吸収体
５  サイドシート
６  ファスニングテープ
７  ターゲットシート
７ａ  係合領域，７ａ’  係合領域７ａに対応する領域
７ｂ  変形緩衝領域，７ｂ’  変形緩衝領域７ｂに対応する領域
７ｂ１  ターゲットシート７の対向面
７ｃ  固定領域，７ｃ’  固定領域７ｃに対応する領域
７ｄ  ターゲットシートのＹ方向の端部
７１  ターゲットシートのＸ方向の端
７２  ターゲットシートのＹ方向の端
７３，７４  シート
７５  スリット
８  サイドフラップ部
９  レッグフラップ部
１０  本体
１０ｂ  本体のＹ方向の側部
Ａ  腹側部，Ｂ  背側部，Ｃ  股下部
ＣＬ  おむつの長手方向に延びる中心線
【図１】
0005498146.tif 000002
【図２】
0005498146.tif 000003
【図３】
0005498146.tif 000004
【図４】
0005498146.tif 000005
【図５】
0005498146.tif 000006
【図６】
0005498146.tif 000007
【図７】
0005498146.tif 000008
【図８】
0005498146.tif 000009